(57)【要約】【課題】ＰＨＳや携帯電話機などの無線移動端末を仲介して、公衆無線サービスエリア内の管理装置からサービス・ソフトウェア情報をダウンロードし、自営無線サービスエリア内の構内交換機や家庭用制御装置などの自営通信装置に、ダウンロードしたサービス・ソフトウェア情報をアップロード可能な無線通信システムを提供する。【解決手段】公衆無線サービスエリアＡP内で、管理装置２にアクセスしてサービス・ソフトウェア情報ＪSをダウンロードするとともに、自営無線サービスエリアＡJ内に移動し、ダウンロードしたサービス・ソフトウェア情報ＪSを構内交換機４、構内制御装置６ａまたは家庭用制御装置６ｂにアップロード要求ＹAを送信して、構内交換機４、構内制御装置６ａまたは家庭用制御装置６ｂにアップロードする無線移動端末７を備える。【選択図】図１
2008005431.tif 000002
【特許請求の範囲】
【請求項１】
公衆無線網に接続された管理装置および公衆無線基地局と、公衆有線網に接続された構内交換機に収容された自営無線基地局または前記公衆有線網に接続された家庭用制御装置に収容された家庭用無線基地局と、前記公衆無線基地局、前記自営無線基地局または前記家庭用無線基地局にアクセス可能な無線移動端末と、からなる無線通信システムにおいて、
前記無線移動端末は、公衆無線サービスエリア内で、前記公衆無線基地局を介して前記管理装置にアクセスし、サービス・ソフトウェア情報をダウンロードするとともに、自営無線サービスエリア内で、前記自営無線基地局を介して前記構内交換機にアクセスし、または前記家庭用無線基地局を介して前記家庭用制御装置にアクセスし、ダウンロードしたサービス・ソフトウェア情報をアップロードすることを特徴とする無線通信システム。
【請求項２】
前記管理装置は、前記無線移動端末からのサービス・ソフトウェア情報のダウンロード要求に対してダウンロードの可否を判定し、ダウンロードを制限する制限手段を備えたことを特徴とする請求項１記載の無線通信システム。
【請求項３】
前記構内交換機および前記家庭用制御装置は、それぞれ運用系ソフトウェア記憶領域と予備系ソフトウェア記憶領域を備えた記憶装置を備え、前記無線移動端末からアップロードされたサービス・ソフトウェア情報を前記予備系ソフトウェア記憶領域に格納することを特徴とする請求項１記載の無線通信システム。
【請求項４】
前記構内交換機および前記家庭用制御装置は、それぞれ前記記憶装置の前記予備系ソフトウェア記憶領域にサービス・ソフトウェア情報を記憶させ、前記予備系ソフトウェア記憶領域と前記運用系ソフトウェア記憶領域とを切替える制御を行い、前記予備系ソフトウェア記憶領域に記憶させたサービス・ソフトウェア情報を運用系として運用する制御を行う制御手段を備えたことを特徴とする請求項１または請求項３記載の無線通信システム。
【請求項５】
前記制御手段は、前記無線移動端末からのサービス・ソフトウェア情報のアップロード要求に対してアップロードの可否を判定し、アップロードを制約する制約手段を備えたことを特徴とする請求項４記載の無線通信システム。
【請求項６】
無線移動端末を仲介して、公衆無線サービスエリア内で、公衆無線網に接続された管理装置からサービス・ソフトウェア情報をダウンロードし、自営無線サービスエリア内に移動して構内交換機、構内制御装置または家庭用制御装置に、サービス・ソフトウェア情報をアップロードする無線通信システムのサービス・ソフトウェアのアップロード方法であって、
サービス・ソフトウェア情報をダウンロード要求するステップＳ１と、
ダウンロード要求されたサービス・ソフトウェア情報をダウンロードするステップＳ２と、
ダウンロードされたサービス・ソフトウェア情報を一時記憶するステップＳ３と、
一時記憶されたサービス・ソフトウェア情報をアップロード要求するステップＳ４と、
サービス・ソフトウェア情報のアップロード許可の有無を判定するステップＳ５と、
アップロード許可がある場合には、サービス・ソフトウェア情報をアップロードするステップＳ６と、
を備えたことを特徴とする無線通信システムのサービス・ソフトウェアのアップロード方法。
【発明の詳細な説明】
【技術分野】
【０００１】
本発明は携帯電話機やＰＨＳなどの無線移動端末を仲介して、公衆無線網に接続された管理装置からサービス・ソフトウェア情報をダウンロードし、ダウンロードしたサービス・ソフトウェア情報を構内交換機や家庭用制御装置にアップロードする無線通信システムおよびそのサービス・ソフトウェアのアップロード方法に関する。
【背景技術】
【０００２】
従来の無線通信システムは、例えば無線基地局等に対するソフトウェア更新方式として、ソフトウェアのダウンロードを行うものが「特許文献１」や「特許文献２」に開示されている。これらのソフトウェア更新方式は、中央通信制御センタなどから無線基地局等にソフトウェアを下り方向にダウンロードするものである。
【特許文献１】特開平１０−６３４９８号公報
【特許文献２】特開２００５−５７８０６号公報
【発明の開示】
【発明が解決しようとする課題】
【０００３】
従来の無線通信システムは、例えばＰＨＳに代表される無線移動端末を内線端末として扱うことのできる方式では、公衆無線網と無線移動端末を内線として扱うことのできる装置（例えば、構内交換機）との間には、公衆有線網を利用しており、中央通信制御センタから構内交換機に必要な情報（例えば、サービス・ソフトウェア情報）を送付しようとすると、サービス・ソフトウェア情報のダウンロード中には、公衆有線網と構内交換機までの通信回線を占有してしまい、その間、構内交換機のサービスエリア内の端末からの発着信を妨げてしまうという課題がある。
【０００４】
また、無線基地局や制御装置のソフトウェアを更新しようとしても、構内交換機（ＰＢＸ）等の装置が介在している場合、構内交換機がソフトウェアの更新手順をサポートしている必要がある。
【０００５】
この発明はこのような課題を解決するためになされたもので、その目的はＰＨＳや携帯電話機などの無線移動端末を仲介して、公衆無線サービスエリア内の管理装置からサービス・ソフトウェア情報をダウンロードし、自営無線サービスエリア内の構内交換機や家庭用制御装置などの自営通信装置に、ダウンロードしたサービス・ソフトウェア情報をアップロード可能な無線通信システムを提供することにある。
【課題を解決するための手段】
【０００６】
前記課題を解決するためこの発明に係る無線通信システムは、公衆無線網に接続された管理装置および公衆無線基地局と、公衆有線網に接続された構内交換機に収容された自営無線基地局または公衆有線網に接続された家庭用制御装置に収容された家庭用無線基地局と、公衆無線基地局、自営無線基地局または家庭用無線基地局にアクセス可能な無線移動端末とからなる無線通信システムにおいて、無線移動端末は、公衆無線サービスエリア内で、公衆無線基地局を介して管理装置にアクセスし、サービス・ソフトウェア情報をダウンロードするとともに、自営無線サービスエリア内で、自営無線基地局を介して構内交換機にアクセスし、または家庭用無線基地局を介して家庭用制御装置にアクセスし、ダウンロードしたサービス・ソフトウェア情報をアップロードすることを特徴とする。
【０００７】
かかる構成を有するこの発明に係る無線通信システムの無線移動端末は、公衆無線サービスエリア内で、公衆無線基地局を介して管理装置にアクセスし、サービス・ソフトウェア情報をダウンロードするとともに、自営無線サービスエリア内で、自営無線基地局を介して構内交換機にアクセスし、または家庭用無線基地局を介して家庭用制御装置にアクセスし、ダウンロードしたサービス・ソフトウェア情報をアップロードするので、無線移動端末のダウンロードならびにアップロード操作で、公衆無線網の管理装置に格納されているサービス・ソフトウェア情報を構内交換機や家庭用制御装置の自営通信装置に容易に取り込むことができる。
【０００８】
また、この発明に係る管理装置は、無線移動端末からのサービス・ソフトウェア情報のダウンロード要求に対してダウンロードの可否を判定し、ダウンロードを制限する制限手段を備えたことを特徴とする。
【０００９】
かかる構成を有するこの発明に係る管理装置は、無線移動端末からのサービス・ソフトウェア情報のダウンロード要求に対してダウンロードの可否を判定し、ダウンロードを制限する制限手段を備えたので、サービス・ソフトウェア情報のランク付けをし、無線移動端末へのダウンロードの許可または禁止を実行することができる。
【００１０】
さらに、この発明に係る構内交換機および家庭用制御装置は、それぞれ運用系ソフトウェア記憶領域と予備系ソフトウェア記憶領域を備えた記憶装置を備え、無線移動端末からアップロードされたサービス・ソフトウェア情報を予備系ソフトウェア記憶領域に格納することを特徴とする。
【００１１】
かかる構成を有するこの発明に係る構内交換機および家庭用制御装置は、それぞれ運用系ソフトウェア記憶領域と予備系ソフトウェア記憶領域を備えた記憶装置を備え、無線移動端末からアップロードされたサービス・ソフトウェア情報を予備系ソフトウェア記憶領域に格納するので、構内交換機および家庭用制御装置を運用しながら、サービス・ソフトウェア情報を構内交換機や家庭用制御装置に格納することができる。
【００１２】
また、この発明に係る構内交換機および家庭用制御装置は、それぞれ記憶装置の予備系ソフトウェア記憶領域にサービス・ソフトウェア情報を記憶させ、予備系ソフトウェア記憶領域と運用系ソフトウェア記憶領域とを切替える制御を行い、予備系ソフトウェア記憶領域に記憶させたサービス・ソフトウェア情報を運用系として運用する制御を行う制御手段を備えたことを特徴とする。
【００１３】
かかる構成を有するこの発明に係る構内交換機および家庭用制御装置は、それぞれ記憶装置の予備系ソフトウェア記憶領域にサービス・ソフトウェア情報を記憶させ、予備系ソフトウェア記憶領域と運用系ソフトウェア記憶領域とを切替える制御を行い、予備系ソフトウェア記憶領域に記憶させたサービス・ソフトウェア情報を運用系として運用する制御を行う制御手段を備えたので、予備系ソフトウェア記憶領域に記憶させたサービス・ソフトウェア情報の切替えを最短時間で実行し、サービス・ソフトウェア情報によるサービスを提供することができる。
【００１４】
さらに、この発明に係る制御手段は、無線移動端末からのサービス・ソフトウェア情報のアップロード要求に対してアップロードの可否を判定し、アップロードを制約する制約手段を備えたことを特徴とする。
【００１５】
かかる構成を有するこの発明に係る制御手段は、無線移動端末からのサービス・ソフトウェア情報のアップロード要求に対してアップロードの可否を判定し、アップロードを制約する制約手段を備えたので、自営通信装置の動作停止や障害の虞のあるサービス・ソフトウェア情報を未然に防止することができる。
【００１６】
また、この発明に係る無線通信システムのサービス・ソフトウェアのアップロード方法は、無線移動端末を仲介して、公衆無線サービスエリア内で、公衆無線網に接続された管理装置からサービス・ソフトウェア情報をダウンロードし、自営無線サービスエリア内に移動して構内交換機、構内制御装置または家庭用制御装置に、サービス・ソフトウェア情報をアップロードする無線通信システムのサービス・ソフトウェアのアップロード方法であって、サービス・ソフトウェア情報をダウンロード要求するステップＳ１と、ダウンロード要求されたサービス・ソフトウェア情報をダウンロードするステップＳ２と、ダウンロードされたサービス・ソフトウェア情報を一時記憶するステップＳ３と、一時記憶されたサービス・ソフトウェア情報をアップロード要求するステップＳ４と、サービス・ソフトウェア情報のアップロード許可の有無を判定するステップＳ５と、アップロード許可がある場合には、サービス・ソフトウェア情報をアップロードするステップＳ６とを備えたことを特徴とする。
【００１７】
この発明に係る無線通信システムのサービス・ソフトウェアのアップロード方法は、サービス・ソフトウェア情報をダウンロード要求するステップＳ１と、ダウンロード要求されたサービス・ソフトウェア情報をダウンロードするステップＳ２と、ダウンロードされたサービス・ソフトウェア情報を一時記憶するステップＳ３と、一時記憶されたサービス・ソフトウェア情報をアップロード要求するステップＳ４と、サービス・ソフトウェア情報のアップロード許可の有無を判定するステップＳ５と、アップロード許可がある場合には、サービス・ソフトウェア情報をアップロードするステップＳ６とを備えたので、無線移動端末を仲立ちにして、サービス・ソフトウェア情報のダウンロードとアップロードをするだけで、サービス・ソフトウェア情報を必要とされる自営通信装置（例えば、構内交換機や家庭用制御装置）に格納することができる。
【発明の効果】
【００１８】
この発明に係る無線通信システムの無線移動端末は、公衆無線サービスエリア内で、公衆無線基地局を介して管理装置にアクセスし、サービス・ソフトウェア情報をダウンロードするとともに、自営無線サービスエリア内で、自営無線基地局を介して構内交換機にアクセスし、または家庭用無線基地局を介して家庭用制御装置にアクセスし、ダウンロードしたサービス・ソフトウェア情報をアップロードするので、無線移動端末のダウンロードならびにアップロード操作で、公衆無線網の管理装置に格納されているサービス・ソフトウェア情報を構内交換機や家庭用制御装置の自営通信装置に容易に取り込むことができ、利便性の向上を図ることができる。
【００１９】
また、この発明に係る管理装置は、無線移動端末からのサービス・ソフトウェア情報のダウンロード要求に対してダウンロードの可否を判定し、ダウンロードを制限する制限手段を備えることにより、サービス・ソフトウェア情報のランク付けをし、無線移動端末へのダウンロードの許可または禁止を実行することができ、サービス・ソフトウェア情報のレベルによってダウンロード対象となる無線移動端末を制限することができる。
【００２０】
さらに、この発明に係る構内交換機および家庭用制御装置は、それぞれ運用系ソフトウェア記憶領域と予備系ソフトウェア記憶領域を備えた記憶装置を備え、無線移動端末からアップロードされたサービス・ソフトウェア情報を予備系ソフトウェア記憶領域に格納することにより、構内交換機および家庭用制御装置を運用しながら、サービス・ソフトウェア情報を構内交換機や家庭用制御装置に格納することができ、サービス・ソフトウェア情報の格納に伴う、自営通信装置の停止ならびにサービス・ソフトウェア情報の設定に要する工数発生をクリアすることができる。
【００２１】
また、この発明に係る構内交換機および家庭用制御装置は、それぞれ記憶装置の予備系ソフトウェア記憶領域にサービス・ソフトウェア情報を記憶させ、予備系ソフトウェア記憶領域と運用系ソフトウェア記憶領域とを切替える制御を行い、予備系ソフトウェア記憶領域に記憶させたサービス・ソフトウェア情報を運用系として運用する制御を行う制御手段を備えることにより、予備系ソフトウェア記憶領域に記憶させたサービス・ソフトウェア情報の切替えを最短時間で実行し、サービス・ソフトウェア情報によるサービスを提供することができ、顧客へのサービス向上を図ることができる。
【００２２】
さらに、この発明に係る制御手段は、無線移動端末からのサービス・ソフトウェア情報のアップロード要求に対してアップロードの可否を判定し、アップロードを制約する制約手段を備えることにより、自営通信装置の動作停止や障害の虞のあるサービス・ソフトウェア情報のアップロードを未然に防止することができ、危機管理ならびに信頼性の向上を図ることができる。
【００２３】
また、この発明に係る無線通信システムのサービス・ソフトウェアのアップロード方法は、サービス・ソフトウェア情報をダウンロード要求するステップＳ１と、ダウンロード要求されたサービス・ソフトウェア情報をダウンロードするステップＳ２と、ダウンロードされたサービス・ソフトウェア情報を一時記憶するステップＳ３と、一時記憶されたサービス・ソフトウェア情報をアップロード要求するステップＳ４と、サービス・ソフトウェア情報のアップロード許可の有無を判定するステップＳ５と、アップロード許可がある場合には、サービス・ソフトウェア情報をアップロードするステップＳ６とを備えたので、無線移動端末を仲立ちにして、サービス・ソフトウェア情報のダウンロードとアップロードをするだけで、サービス・ソフトウェア情報を必要とされる自営通信装置（例えば、構内交換機や家庭用制御装置）に格納することができ、使い勝手の良さならびに利便性の向上をアピールすることができる。
【発明を実施するための最良の形態】
【００２４】
以下、この発明の実施の形態を添付図面に基づいて説明する。なお、本発明は、公衆無線網に接続された管理装置のサービス・ソフトウェア情報を公衆無線サービスエリア内で無線移動端末にダウンロードして一時格納し、無線移動端末を自営無線サービスエリア内に移動し、構内交換機や家庭用制御装置の自営通信装置に一時格納したサービス・ソフトウェア情報をアップロードしてローディングするものである。
【００２５】
図１はこの発明に係る無線通信システムの一実施の形態システム構成図である。図１において、無線通信システム１は、公衆無線網８に接続された管理装置２および公衆無線基地局３と、公衆有線網９に接続された構内交換機４に収容された自営無線基地局５ａ，５ｂと、公衆有線網９に接続された家庭用制御装置６ｂに収容された家庭用無線基地局５ｃと、公衆無線基地局３、自営無線基地局５ａ，５ｂまたは家庭用無線基地局５ｃにアクセス可能な無線移動端末７とから構成されている。
【００２６】
管理装置２は、公衆無線基地局３、自営無線基地局５ａ，５ｂ、家庭用無線基地局５ｃ、構内制御装置６ａ、家庭用制御装置６ｂおよび構内交換機４で利用可能な、またはサービス可能な新サービス用ソフトウェア、音楽・ファイル情報またはデバッグ用ソフトウェア（初期診断用プログラム、ハードウェアやソフトウェアの評価・保守用プログラム、ソフトウェアのバグ（欠陥）を対策した更新版のプログラム等）などのサービス・ソフトウェア情報ＪSを格納し、無線移動端末７からのサービス・ソフトウェア情報ＪSのダウンロード要求ＹDに応じて、公衆無線サービスエリアＡP内の無線移動端末７に公衆無線基地局３を介してサービス・ソフトウェア情報ＪSをダウンロード（供給）する。
【００２７】
無線移動端末７は、ＰＨＳや携帯電話機などで構成し、公衆無線サービスエリアＡP内および自営無線サービスエリアＡJ内でアクセス可能なものとし、公衆無線サービスエリアＡP内で、公衆無線基地局３を介して管理装置２にアクセスし、サービス・ソフトウェア情報ＪSをダウンロードする。
【００２８】
また、無線移動端末７は、自営無線サービスエリアＡJ内に移動し、自営無線基地局５ａ，５ｂあるいは家庭用無線基地局５ｃを介して、管理装置２からダウンロードしたサービス・ソフトウェア情報ＪSを構内交換機４、構内制御装置６ａまたは家庭用制御装置６ｂにアップロード要求ＹAを送信して、構内交換機４、構内制御装置６ａまたは家庭用制御装置６ｂからアップロードが許可されると、管理装置２からダウンロードした新サービス用ソフトウェア、音楽・ファイル情報またはデバッグ用ソフトウェアなどのサービス・ソフトウェア情報ＪSをアップロードする。
【００２９】
さらに、無線移動端末７は、管理装置２からダウンロードされたサービス・ソフトウェア情報ＪSを一時記憶する一時記憶手段を備え、管理装置２からダウンロードしたサービス・ソフトウェア情報ＪSを一時記憶する。
【００３０】
図２はこの発明に係る管理装置の一実施の形態要部機能ブロック構成図である。図２において、管理装置２は、公衆無線基地局３および公衆無線網８を介して各種データを送受信するデータ送受信機１０、新サービス用ソフトウェア、音楽・ファイル情報またはデバッグ用ソフトウェアなどのサービス・ソフトウェア情報ＪSを格納するサービス・ソフトウェアデータベース１１、管理装置２全体の動作を制御する制御部１２を備える。
【００３１】
なお、データ送受信機１０、サービス・ソフトウェアデータベース１１および制御部１２は、制御バスＢＵＳを介して接続される。
【００３２】
制御部１２は、サービス・ソフトウェア情報ＪSのダウンロードを制限する制限手段１３を備え、無線移動端末７からのダウンロード要求ＹDを判断し、許可できる場合には「ＯＫ：許可」、禁止する場合には「ＮＧ：禁止」の指令をデータ送受信機１０を介して無線移動端末７に伝送する。
【００３３】
管理装置２は、制限手段１３から「ＯＫ：許可」の指令を出力した場合には、続けて要求されたサービス・ソフトウェア情報ＪSを無線移動端末７にダウンロードする。一方、制限手段１３から「ＮＧ：禁止」の指令を出力した場合には、要求されたサービス・ソフトウェア情報ＪSのダウンロードを禁止する。
【００３４】
制限手段１３の「ＯＫ：許可」または「ＮＧ：禁止」の判定は、サービス・ソフトウェアデータベース１１に格納される様々なサービス・ソフトウェア情報ＪSにランク付けをし、このランクおよび無線移動端末７からのダウンロード要求ＹDに基づいて実行する。
【００３５】
例えば、サービス・ソフトウェア情報ＪSを形成する新サービス用ソフトウェア、音楽・ファイル情報またはデバッグ用ソフトウェアについて、デバッグ用ソフトウェアを上位ランク、新サービス用ソフトウェアを中位ランク、音楽・ファイル情報を下位ランクとし、ダウンロード要求ＹDのある無線移動端末７のレベル（例えば、アドレス、契約内容）に基づいて「ＯＫ：許可」または「ＮＧ：禁止」を判定する。
【００３６】
このように、この発明に係る管理装置２は、無線移動端末７からのサービス・ソフトウェア情報ＪSのダウンロード要求ＹDに対してダウンロードの可否を判定し、ダウンロードを制限する制限手段１３を備えたので、サービス・ソフトウェア情報ＪSのランク付けをし、無線移動端末７へのダウンロードの許可「ＯＫ」または禁止「ＮＧ」を実行することができ、サービス・ソフトウェア情報ＪSのレベルによってダウンロード対象となる無線移動端末７を制限することができる。
【００３７】
次に、自営無線サービスエリアＡJ内に設置される構内交換機４、構内制御装置６ａおよび家庭用制御装置６ｂの自営通信装置について説明する。構内交換機４は、オフィスや会社に設置され、公衆有線網９に接続されており、構内交換機４には、構内制御装置６ａや自営無線基地局５ｂが直接接続され、また構内制御装置６ａを介して自営無線基地局５ａが接続されている。また、公衆有線網９には、家庭用制御装置６ｂが収容され、家庭用制御装置６ｂには、家庭用無線基地局５ｃが接続されている。
【００３８】
また、家庭用制御装置６ｂは、家庭内の内線端末として複数の無線移動端末７が家庭用無線基地局５ｃを介して無線でアクセスされる。なお、自営無線サービスエリアＡJは、家庭用として独立したエリアを形成することが想定される。
【００３９】
構内交換機４および構内制御装置６ａは、無線移動端末７がダウンロードした新サービス用ソフトウェア、音楽・ファイル情報またはデバッグ用ソフトウェアなどのサービス・ソフトウェア情報ＪSを、自営無線サービスエリアＡJ内でアクセスされ、無線移動端末７からアップロードされて、サービス・ソフトウェア情報ＪSのサービスを提供する。
【００４０】
家庭用制御装置６ｂは、家庭内で使用する新サービス用ソフトウェア、音楽・ファイル情報のサービス・ソフトウェア情報ＪSを無線移動端末７からアップロードされて、サービス・ソフトウェア情報ＪSのサービスを提供する。
【００４１】
図３はこの発明に係る自営通信装置の一実施の形態要部機能ブロック構成図である。図３において、自営通信装置を構成する構内交換機４、構内制御装置６ａ、家庭用制御装置６ｂは、自営無線基地局５ａ，５ｂまたは家庭用無線基地局５ｃを介して各種データを送受信する送受信手段１４、無線移動端末７からアップロードされるサービス・ソフトウェア情報ＪSを格納する記憶装置１５、自営通信装置の全体の動作を制御する制御手段１６を備える。
【００４２】
なお、送受信手段１４、記憶装置１５、制御手段１６は、制御バスＢＵＳを介して接続される。
【００４３】
制御手段１６は、無線移動端末７からのサービス・ソフトウェア情報ＪSのアップロード要求ＹAに対してアップロードの可否を判定し、アップロードを制約する制約手段１７を備え、自営通信装置の動作停止や障害の虞のあるサービス・ソフトウェア情報ＪSのアップロードを未然に防止する。
【００４４】
自営通信装置４、６ａ、６ｂは、制約手段１７から「ＯＫ：許可」の指令を出力した場合には、続けて要求されたサービス・ソフトウェア情報ＪSを無線移動端末７からアップロードされる。一方、制約手段１７から「ＮＧ：禁止」の指令を出力した場合には、要求されたサービス・ソフトウェア情報ＪSのアップロードを禁止する。
【００４５】
制約手段１７の「ＯＫ：許可」または「ＮＧ：禁止」の判定は、無線移動端末７からアップロードされるサービス・ソフトウェア情報ＪSに予めランク付けをし、このランクおよび無線移動端末７からのアップロード要求ＹAに基づいて実行する。
【００４６】
記憶装置１５は、書換え可能なフラッシュＲＯＭなどのメモリで構成し、運用系ソフトウェア記憶領域と予備系ソフトウェア記憶領域を備え、無線移動端末７からアップロードされたサービス・ソフトウェア情報ＪSを予備系ソフトウェア記憶領域に格納し、構内交換機４、構内制御装置６ａまたは家庭用制御装置６ｂを運用しながら、サービス・ソフトウェア情報ＪSを構内交換機４、構内制御装置６ａまたは家庭用制御装置６ｂに格納することができる。
【００４７】
図４はこの発明に係る記憶装置の一実施の形態ソフトウェア記憶領域のイメージ図である。図４において、記憶装置１５は、運用系ソフトウェア記憶領域ＡUと予備系ソフトウェア記憶領域ＡYの記憶領域を備える。
【００４８】
構内交換機４、構内制御装置６ａおよび家庭用制御装置６ｂが運用系ソフトウェア記憶領域ＡUに格納された運用中サービス・ソフトウェア情報ＪGで運用中であっても、無線移動端末７からアップロードされたサービス・ソフトウェア情報ＪSを予備系ソフトウェア記憶領域ＡYに格納することができる。
【００４９】
このように、この発明に係る構内交換機４および家庭用制御装置６ｂは、それぞれ運用系ソフトウェア記憶領域ＡUと予備系ソフトウェア記憶領域ＡYを備えた記憶装置１５を備え、無線移動端末７からアップロードされたサービス・ソフトウェア情報ＪSを予備系ソフトウェア記憶領域ＡYに格納するので、構内交換機４および家庭用制御装置６ｂを運用しながら、サービス・ソフトウェア情報ＪSを構内交換機４や家庭用制御装置６ｂに格納することができ、サービス・ソフトウェア情報ＪSの格納に伴なう、自営通信装置の停止ならびにサービス・ソフトウェア情報ＪSの設定に要する工数発生をクリアすることができる。
【００５０】
また、制御手段１６は、記憶装置１５の予備系ソフトウェア記憶領域ＡYにサービス・ソフトウェア情報ＪSを記憶させ、予備系ソフトウェア記憶領域ＡYと運用系ソフトウェア記憶領域ＡUとを切替える制御を実行する。
【００５１】
さらに、制御手段１６は、運用系ソフトウェア記憶領域ＡUと予備系ソフトウェア記憶領域ＡYの切替え制御により、予備系ソフトウェア記憶領域ＡYに記憶させたサービス・ソフトウェア情報ＪSを運用系として運用する制御を実行する。
【００５２】
制御手段１６の制御により、予備系ソフトウェア記憶領域ＡYと運用系ソフトウェア記憶領域ＡUが切替えられた後には、予備系ソフトウェア記憶領域ＡYが運用系となり、運用系ソフトウェア記憶領域ＡUが予備系となって、サービス・ソフトウェア情報ＪSのアップロードは、従来の運用系ソフトウェア記憶領域ＡUに格納されることになる。
【００５３】
このように、この発明に係る制御手段１６は、無線移動端末７からのサービス・ソフトウェア情報ＪSの予備系ソフトウェア記憶領域ＡYに対してアップロードの可否を判定し、アップロードを制約する制約手段１７を備えたので、自営通信装置の動作停止や障害の虞のあるサービス・ソフトウェア情報ＪSのアップロードを未然に防止することができ、危機管理ならびに信頼性の向上を図ることができる。
【００５４】
また、この発明に係る構内交換機４および家庭用制御装置６ｂは、それぞれ記憶装置１５の予備系ソフトウェア記憶領域ＡYにサービス・ソフトウェア情報ＪSを記憶させ、予備系ソフトウェア記憶領域ＡYと運用系ソフトウェア記憶領域ＡUとを切替える制御を行い、予備系ソフトウェア記憶領域ＡYに記憶させたサービス・ソフトウェア情報ＪSを運用系として運用する制御を行う制御手段１６を備えたので、予備系ソフトウェア記憶領域ＡYに記憶させたサービス・ソフトウェア情報ＪSの切替えを最短時間で実行し、サービス・ソフトウェア情報ＪSによるサービスを提供することができ、顧客へのサービス向上を図ることができる。
【００５５】
続いて、この発明に係る無線通信システム１のサービス・ソフトウェア情報ＪSのダウンロードおよびサービス・ソフトウェア情報ＪSのアップロードの動作シーケンスについて説明する。
【００５６】
図５はこの発明に係る無線通信システムの一実施の形態ダウンロードシーケンス図である。なお、サービス・ソフトウェア情報ＪSのダウンロードは、管理装置２から公衆無線基地局３を介して無線移動端末７へのダウンロードである。
【００５７】
図５において、公衆無線サービスエリアＡPに入ったことを検知した無線移動端末７は、公衆無線基地局３に対して位置登録要求を通知する（シーケンスＪ１）。位置登録要求の通知を受け取った公衆無線基地局３は、その情報を管理装置２へ通知する（シーケンスＪ２）。
【００５８】
位置登録要求の通知を受け取った管理装置２は、無線移動端末７に対してダウンロード情報（サービス・ソフトウェア情報ＪS）があるか否かチェックする（シーケンスＪ３）。サービス・ソフトウェア情報ＪSがあると判断された場合、管理装置２は、位置登録受付情報にその旨の情報を載せた位置登録受付情報を公衆無線基地局３を介して無線移動端末７に通知する（シーケンスＪ４、シーケンスＪ５）。
【００５９】
位置登録受付情報を受信した無線移動端末７は、ダウンロードを受ける場合（シーケンスＪ６）には、ダウンロード要求を公衆無線基地局３に通知する（シーケンスＪ７）。なお、この場合、ダウンロード要求は、管理装置２に対する呼出（発信）と同じでも良い。
【００６０】
ダウンロード要求を受信した公衆無線基地局３は、その要求を管理装置２へ通知する（シーケンスＪ８）。ダウンロード要求を受信した管理装置２は、ダウンロード要求応答を公衆無線基地局３を経由して無線移動端末７に返答する（シーケンスＪ９、シーケンスＪ１０）。なお、この場合、ダウンロード要求応答は、無線移動端末７の呼出しに対する管理装置２からの応答情報と同じでも良い。
【００６１】
このようにして、無線移動端末７と管理装置２との間で通信が確立された後に、管理装置２から無線移動端末７にサービス・ソフトウェア情報ＪSをダウンロードする（シーケンスＪ１１）。無線移動端末７は、サービス・ソフトウェア情報ＪSをメモリ内に一時記憶する。
【００６２】
図６はこの発明に係る無線通信システムの一実施の形態アップロードシーケンス図である。なお、サービス・ソフトウェア情報ＪSのアップロードは、無線移動端末７から自営無線基地局５ｂを介して構内交換機４へのアップロードである。
【００６３】
図６において、公衆無線サービスエリアＡP内でサービス・ソフトウェア情報ＪSのダウンロードを行った無線移動端末７が、例えば自宅あるいはオフィスなどの自営無線サービスエリアＡJ内に移動してきた時、無線移動端末７は自営無線基地局５ｂに対して位置登録要求を行う（シーケンスＰ１）。位置登録要求を受信した自営無線基地局５ｂは、その要求を構内交換機４に通知する（シーケンスＰ２）。
【００６４】
構内交換機４は、位置登録要求を受信すると、位置登録受付を自営無線基地局５ｂを経由して無線移動端末７へ返す（シーケンスＰ３、シーケンスＰ４）。
【００６５】
位置登録受付を受信した無線移動端末７は、メモリ内にダウンロード情報（サービス・ソフトウェア情報ＪS）の有無を判断し（シーケンスＰ５）、サービス・ソフトウェア情報ＪSが有りと判断すると、アップロード要求を自営無線基地局５ｂに通知する（シーケンスＰ６）。なお、この場合、アップロード要求は、管理装置２に対する呼出（発信）と同じでも良い。
【００６６】
アップロード要求を受信した自営無線基地局５ｂは、その要求を構内交換機４に通知する（シーケンスＰ７）。アップロード要求を受信した構内交換機４は、アップロード要求応答を自営無線基地局５ｂを経由して無線移動端末７へ返答する（シーケンスＰ８、シーケンスＰ９）。
【００６７】
このようにして、無線移動端末７と構内交換機４との間で通信が確立された後に、無線移動端末７から構内交換機４にサービス・ソフトウェア情報ＪSをアップロードする。サービス・ソフトウェア情報ＪSが自営無線基地局５ａ，５ｂ用または家庭用無線基地局５ｃ用であれば、サービス・ソフトウェア情報ＪSを自営無線基地局５ａ，５ｂまたは家庭用無線基地局５ｃが自端末内に保存し、更新動作を行う。また、サービス・ソフトウェア情報ＪSが構内制御装置６ａ用または家庭用制御装置６ｂ用であれば、構内制御装置６ａまたは家庭用制御装置６ｂがサービス・ソフトウェア情報ＪSを自端末内に保存し、更新動作を行う。
【００６８】
以上説明したように、この発明に係る無線通信システム１の無線移動端末７は、公衆無線サービスエリアＡP内で、公衆無線基地局３を介して管理装置２にアクセスし、サービス・ソフトウェア情報ＪSをダウンロードするとともに、自営無線サービスエリアＡJ内で、自営無線基地局５ｂを介して構内交換機４にアクセスし、または家庭用無線基地局５ｃを介して家庭用制御装置６ｂにアクセスし、ダウンロードしたサービス・ソフトウェア情報ＪSをアップロードするので、無線移動端末７のダウンロードならびにアップロード操作で、公衆無線網８の管理装置２に格納されているサービス・ソフトウェア情報ＪSを構内交換機４や家庭用制御装置６ｂの自営通信装置に容易に取り込むことができ、利便性の向上を図ることができる。
【００６９】
次に、サービス・ソフトウェアのアップロード方法について説明する。図７はこの発明に係る無線通信システムのサービス・ソフトウェアのアップロード方法の一実施の形態要部動作フロー図である。なお、動作フローは、図１を参照にする。
【００７０】
図７において、無線通信システムのサービス・ソフトウェアのアップロード方法は、無線移動端末を仲介して、公衆無線サービスエリア内で、公衆無線網に接続された管理装置からサービス・ソフトウェア情報をダウンロードし、自営無線サービスエリア内に移動して構内交換機、構内制御装置または家庭用制御装置に、サービス・ソフトウェア情報をアップロードする無線通信システムのサービス・ソフトウェアのアップロード方法であって、ステップＳ１では、サービス・ソフトウェア情報をダウンロード要求する。なお、ステップＳ１の動作は、無線移動端末７から管理装置２に対して実行する。
【００７１】
ステップＳ２では、ダウンロード要求されたサービス・ソフトウェア情報をダウンロードする。なお、ステップＳ２の動作は、管理装置２から無線移動端末７に対して実行する。
【００７２】
ステップＳ３では、ダウンロードされたサービス・ソフトウェア情報を一時記憶する。なお、ステップＳ３の動作は、無線移動端末７が実行する。また、ステップＳ１〜ステップＳ３の動作は、公衆無線サービスエリアＡP内で実行される。
【００７３】
ステップＳ４では、一時記憶されたサービス・ソフトウェア情報をアップロード要求する。なお、ステップＳ４の動作は、無線移動端末７から構内交換機４に対して実行する。
【００７４】
ステップＳ５では、サービス・ソフトウェア情報のアップロード許可の有無を判定する。なお、ステップＳ５の動作は、構内交換機４が実行する。
【００７５】
ステップＳ６では、アップロード許可がある場合には、サービス・ソフトウェア情報をアップロードする。なお、ステップＳ６の動作は、無線移動端末７から構内交換機４に対して実行する。また、ステップＳ４〜ステップＳ６の動作は、自営無線サービスエリア内で実行される。
【００７６】
なお、本実施の形態では、サービス・ソフトウェア情報のアップロード対象装置を構内交換機４としたが、構内制御装置６ａまたは家庭用制御装置６ｂでも同様に実行することができる。
【００７７】
このように、この発明に係る無線通信システムのサービス・ソフトウェアのアップロード方法は、サービス・ソフトウェア情報をダウンロード要求するステップＳ１と、ダウンロード要求されたサービス・ソフトウェア情報をダウンロードするステップＳ２と、ダウンロードされたサービス・ソフトウェア情報を一時記憶するステップＳ３と、一時記憶されたサービス・ソフトウェア情報をアップロード要求するステップＳ４と、サービス・ソフトウェア情報のアップロード許可の有無を判定するステップＳ５と、アップロード許可がある場合には、サービス・ソフトウェア情報をアップロードするステップＳ６とを備えたので、無線移動端末を仲立ちにして、サービス・ソフトウェア情報のダウンロードとアップロードをするだけで、サービス・ソフトウェア情報を必要とされる自営通信装置（例えば、構内交換機や家庭用制御装置）に格納することができ、使い勝手の良さならびに利便性の向上をアピールすることができる。
【産業上の利用可能性】
【００７８】
本発明に係る無線通信システムは、ＰＨＳや携帯電話機などの無線移動端末を仲介して、公衆無線サービスエリア内の管理装置からサービス・ソフトウェア情報をダウンロードし、自営無線サービスエリア内の構内交換機や家庭用制御装置などの自営通信装置にダウンロードしたサービス・ソフトウェア情報をアップロード可能なもので、公衆無線網の管理装置に格納されたサービス・ソフトウェア情報を自営通信装置に取り込む（ダウンロード）あらゆる無線通信システムに適用することができる。
【図面の簡単な説明】
【００７９】
【図１】この発明に係る無線通信システムの一実施の形態システム構成図
【図２】この発明に係る管理装置の一実施の形態要部機能ブロック構成図
【図３】この発明に係る自営通信装置の一実施の形態要部機能ブロック構成図
【図４】この発明に係る記憶装置の一実施の形態ソフトウェア記憶領域のイメージ図
【図５】この発明に係る無線通信システムの一実施の形態ダウンロードシーケンス図
【図６】この発明に係る無線通信システムの一実施の形態アップロードシーケンス図
【図７】この発明に係る無線通信システムのサービス・ソフトウェアのアップロード方法の一実施の形態要部動作フロー図
【符号の説明】
【００８０】
１    無線通信システム
２    管理装置
３    公衆無線基地局
４    構内交換機
５ａ，５ｂ    自営無線基地局
５ｃ    家庭用無線基地局
６ａ，６ｂ    構内制御装置
６ｃ    家庭用制御装置
７    無線移動端末
８    公衆無線網
９    公衆有線網
１０    データ送受信機
１１    サービス・ソフトウェア記憶部
１２    制御部
１３    制限手段
１４    送受信手段
１５    記憶装置
１６    制御手段
１７    制約手段
ＡU    運用系ソフトウェア記憶領域
ＡY    予備系ソフトウェア記憶領域
ＡP    公衆無線サービスエリア
ＡJ    自営無線サービスエリア
ＢＵＳ    制御バス
ＪS    サービス・ソフトウェア情報
ＪG    運用中サービス・ソフトウェア情報
ＹD    ダウンロード要求
ＹA    アップロード要求
【図１】
2008005431.tif 000003
【図２】
2008005431.tif 000004
【図３】
2008005431.tif 000005
【図４】
2008005431.tif 000006
【図５】
2008005431.tif 000007
【図６】
2008005431.tif 000008
【図７】
2008005431.tif 000009